(57)【要約】  インターネットメッセージ伝送ベースの通知サービス処理装置及びその動作方法に係り、金融詐欺を防止するための通知メッセージサービスの提供において、最近、広く活用されているインターネットベースのメッセージサービスを活用し、ユーザに無料で通知メッセージサービスを提供することができる装置及び方法を提供することができ、また、インターネットベースのメッセージサービスを活用し、ユーザに通知メッセージを伝送するとき、ユーザが、通知メッセージを実際に閲覧しない可能性もあるために、ユーザが、通知メッセージを閲覧しない場合、通知メッセージを既存の移動通信用文字メッセージとして再送信することにより、ユーザに正確に通知メッセージを伝達する技法を提供する。
2018528562.tif 000002
【特許請求の範囲】
【請求項１】
複数の会員に係わる識別情報と、前記複数の会員に係わる電話番号と、が互いに対応して保存されている会員データベースと、
前記複数の会員に係わる識別情報別にメッセージを区分して保存するためのメッセージ保存領域を有するメモリ部と、
コンテンツ提供サーバから、通知メッセージに対する送信要求と共に、前記通知メッセージと、前記通知メッセージを受信する受信者の識別情報と、を受信する情報受信部と、
前記通知メッセージに対する送信要求に対応し、前記メモリ部上の前記受信者の識別情報に対応する第１メッセージ保存領域に、前記通知メッセージを保存する通知メッセージ保存部と、
前記第１メッセージ保存領域に保存されている前記通知メッセージが、前記受信者の端末にダウンロードされれば、前記通知メッセージがダウンロードされた第１時点から所定の時間以内に、前記受信者の端末から、前記通知メッセージに対する閲覧確認信号が受信されるか否かということを判断する判断部と、
前記第１時点から、前記所定の時間以内に、前記受信者の端末から、前記通知メッセージに対する閲覧確認信号が受信されない場合、前記会員データベースから、前記受信者の識別情報に対応する第１電話番号を抽出した後、前記第１電話番号を受信側にし、前記通知メッセージを、移動通信用文字メッセージとして送信する代替文字メッセージ伝送部と、
を含むインターネットメッセージ伝送ベースの通知サービス処理装置。
【請求項２】
前記受信者の端末は、所定の周期間隔で、前記インターネットメッセージ伝送ベースの通知サービス処理装置に接続した後、前記メモリ部上の前記受信者の識別情報に対応する前記第１メッセージ保存領域にアクセスし、新たなメッセージが保存されているか否かということを確認することにより、前記通知メッセージに対するダウンロードを行い、前記通知メッセージがダウンロードされた後、前記受信者により、前記受信者の端末で、前記通知メッセージが閲覧されれば、前記通知メッセージに対する閲覧確認信号を生成し、前記インターネットメッセージ伝送ベースの通知サービス処理装置に伝送する
ことを特徴とする請求項１に記載のインターネットメッセージ伝送ベースの通知サービス処理装置。
【請求項３】
前記コンテンツ提供サーバから、前記通知メッセージが受信されれば、前記通知メッセージを構成するデータのヘッダに対して、所定のメッセージ閲覧維持時間（前記所定のメッセージ閲覧維持時間は、前記所定の時間より短く設定された時間である）に係わる情報を挿入する維持時間挿入部をさらに含み、
前記通知メッセージ保存部は、前記通知メッセージを構成するデータのヘッダに対して、前記所定のメッセージ閲覧維持時間に係わる情報が挿入されれば、前記第１メッセージ保存領域に、前記通知メッセージを保存し、
前記受信者の端末は、前記通知メッセージがダウンロードされ、前記受信者により、前記受信者の端末で、前記通知メッセージが閲覧されれば、前記通知メッセージを構成するデータのヘッダから、前記所定のメッセージ閲覧維持時間に係わる情報を抽出した後、前記所定のメッセージ閲覧維持時間に係わる情報を基に、前記受信者の端末で、前記通知メッセージが閲覧された状態が、前記所定のメッセージ閲覧維持時間を超えれば、前記通知メッセージに対する閲覧確認信号を生成し、前記インターネットメッセージ伝送ベースの通知サービス処理装置に伝送する
ことを特徴とする請求項１に記載のインターネットメッセージ伝送ベースの通知サービス処理装置。
【請求項４】
複数の所定のデータサイズ範囲別に互いに異なるメッセージ閲覧維持時間（前記互いに異なるメッセージ閲覧維持時間は、前記所定の時間より短く設定された時間である）が記録されているテーブルを保存して維持するテーブル維持部と、
前記コンテンツ提供サーバから、前記通知メッセージが受信されれば、前記通知メッセージのデータサイズを確認した後、前記テーブルを参照し、前記複数の所定のデータサイズ範囲のうち、前記通知メッセージのデータサイズが属している第１データサイズ範囲を確認する範囲確認部と、
前記テーブルを参照し、前記第１データサイズ範囲に対応して記録されている第１メッセージ閲覧維持時間を抽出する維持時間抽出部と、
前記通知メッセージを構成するデータのヘッダに対して、前記第１メッセージ閲覧維持時間に係わる情報を挿入する維持時間挿入部と、
をさらに含み、
前記通知メッセージ保存部は、前記通知メッセージを構成するデータのヘッダに対して、前記第１メッセージ閲覧維持時間に係わる情報が挿入されれば、前記第１メッセージ保存領域に、前記通知メッセージを保存し、
前記受信者の端末は、前記通知メッセージがダウンロードされ、前記受信者により、前記受信者の端末で、前記通知メッセージが閲覧されれば、前記通知メッセージを構成するデータのヘッダから、前記第１メッセージ閲覧維持時間に係わる情報を抽出した後、前記第１メッセージ閲覧維持時間に係わる情報を基に、前記受信者の端末で、前記通知メッセージが閲覧された状態が、前記第１メッセージ閲覧維持時間を超えれば、前記通知メッセージに対する閲覧確認信号を生成し、前記インターネットメッセージ伝送ベースの通知サービス処理装置に伝送する
ことを特徴とする請求項１に記載のインターネットメッセージ伝送ベースの通知サービス処理装置。
【請求項５】
前記情報受信部は、
前記コンテンツ提供サーバから、前記通知メッセージに対する送信要求が受信されれば、テスト用メッセージを生成し、前記テスト用メッセージを、前記第１メッセージ保存領域に保存するテストメッセージ保存部と、
前記第１メッセージ保存領域に保存されている前記テスト用メッセージが、前記受信者の端末にダウンロードされることにより、前記受信者の端末から、前記テスト用メッセージに対するダウンロード成功メッセージが受信されるか否かということを判断するテスト成功判断部と、
を含み、
前記通知メッセージ保存部は、前記受信者の端末から、前記テスト用メッセージに対するダウンロード成功メッセージが受信されれば、前記第１メッセージ保存領域に、前記通知メッセージを保存する
ことを特徴とする請求項１に記載のインターネットメッセージ伝送ベースの通知サービス処理装置。
【請求項６】
インターネットメッセージ伝送ベースの通知サービス処理装置の動作方法において、
複数の会員に係わる識別情報と、前記複数の会員に係わる電話番号と、が互いに対応して保存されている会員データベースを維持する段階と、
前記複数の会員に係わる識別情報別にメッセージを区分して保存するためのメッセージ保存領域を有するメモリ部を維持する段階と、
コンテンツ提供サーバから、通知メッセージに対する送信要求と共に、前記通知メッセージと、前記通知メッセージを受信する受信者の識別情報と、を受信する段階と、
前記通知メッセージに対する送信要求に対応し、前記メモリ部上の前記受信者の識別情報に対応する第１メッセージ保存領域に、前記通知メッセージを保存する段階と、
前記第１メッセージ保存領域に保存されている前記通知メッセージが、前記受信者の端末にダウンロードされれば、前記通知メッセージがダウンロードされた第１時点から、所定の時間以内に、前記受信者の端末から、前記通知メッセージに対する閲覧確認信号が受信されるか否かということを判断する段階と、
前記第１時点から、前記所定の時間以内に、前記受信者の端末から、前記通知メッセージに対する閲覧確認信号が受信されない場合、前記会員データベースから、前記受信者の識別情報に対応する第１電話番号を抽出した後、前記第１電話番号を受信側にし、前記通知メッセージを、移動通信用文字メッセージとして送信する段階と、
を含むインターネットメッセージ伝送ベースの通知サービス処理装置の動作方法。
【請求項７】
前記受信者の端末は、所定の周期間隔で、前記インターネットメッセージ伝送ベースの通知サービス処理装置に接続した後、前記メモリ部上の前記受信者の識別情報に対応する前記第１メッセージ保存領域にアクセスし、新たなメッセージが保存されているか否かということを確認することにより、前記通知メッセージに対するダウンロードを行い、前記通知メッセージがダウンロードされた後、前記受信者により、前記受信者の端末で、前記通知メッセージが閲覧されれば、前記通知メッセージに対する閲覧確認信号を生成し、前記インターネットメッセージ伝送ベースの通知サービス処理装置に伝送する
ことを特徴とする請求項６に記載のインターネットメッセージ伝送ベースの通知サービス処理装置の動作方法。
【請求項８】
前記コンテンツ提供サーバから、前記通知メッセージが受信されれば、前記通知メッセージを構成するデータのヘッダに対して、所定のメッセージ閲覧維持時間（前記所定のメッセージ閲覧維持時間は、前記所定の時間より短く設定された時間である）に係わる情報を挿入する段階をさらに含み、
前記通知メッセージを保存する段階は、前記通知メッセージを構成するデータのヘッダに対して、前記所定のメッセージ閲覧維持時間に係わる情報が挿入されれば、前記第１メッセージ保存領域に、前記通知メッセージを保存し、前記受信者の端末は、前記通知メッセージがダウンロードされ、前記受信者により、前記受信者の端末で、前記通知メッセージが閲覧されれば、前記通知メッセージを構成するデータのヘッダから、前記所定のメッセージ閲覧維持時間に係わる情報を抽出した後、前記所定のメッセージ閲覧維持時間に係わる情報を基に、前記受信者の端末で、前記通知メッセージが閲覧された状態が、前記所定のメッセージ閲覧維持時間を超えれば、前記通知メッセージに対する閲覧確認信号を生成し、前記インターネットメッセージ伝送ベースの通知サービス処理装置に伝送する
ことを特徴とする請求項６に記載のインターネットメッセージ伝送ベースの通知サービス処理装置の動作方法。
【請求項９】
複数の所定のデータサイズ範囲別に互いに異なるメッセージ閲覧維持時間（前記互いに異なるメッセージ閲覧維持時間は、前記所定の時間より短く設定された時間である）が記録されているテーブルを保存して維持する段階と、
前記コンテンツ提供サーバから、前記通知メッセージが受信されれば、前記通知メッセージのデータサイズを確認した後、前記テーブルを参照し、前記複数の所定のデータサイズ範囲のうち、前記通知メッセージのデータサイズが属している第１データサイズ範囲を確認する段階と、
前記テーブルを参照し、前記第１データサイズ範囲に対応して記録されている第１メッセージ閲覧維持時間を抽出する段階と、
前記通知メッセージを構成するデータのヘッダに対して、前記第１メッセージ閲覧維持時間に係わる情報を挿入する段階と、
をさらに含み、
前記通知メッセージを保存する段階は、前記通知メッセージを構成するデータのヘッダに対して、前記第１メッセージ閲覧維持時間に係わる情報が挿入されれば、前記第１メッセージ保存領域に、前記通知メッセージを保存し、
前記受信者の端末は、前記通知メッセージがダウンロードされ、前記受信者により、前記受信者の端末で、前記通知メッセージが閲覧されれば、前記通知メッセージを構成するデータのヘッダから、前記第１メッセージ閲覧維持時間に係わる情報を抽出した後、前記第１メッセージ閲覧維持時間に係わる情報を基に、前記受信者の端末で、前記通知メッセージが閲覧された状態が、前記第１メッセージ閲覧維持時間を超えれば、前記通知メッセージに対する閲覧確認信号を生成し、前記インターネットメッセージ伝送ベースの通知サービス処理装置に伝送する
ことを特徴とする請求項６に記載のインターネットメッセージ伝送ベースの通知サービス処理装置の動作方法。
【請求項１０】
前記コンテンツ提供サーバから、前記通知メッセージに対する送信要求が受信されれば、テスト用メッセージを生成し、前記テスト用メッセージを、前記第１メッセージ保存領域に保存する段階と、
前記第１メッセージ保存領域に保存されている前記テスト用メッセージが、前記受信者の端末にダウンロードされることにより、前記受信者の端末から、前記テスト用メッセージに対するダウンロード成功メッセージが受信されるか否かということを判断する段階と、
をさらに含み、
前記通知メッセージを保存する段階は、前記受信者の端末から、前記テスト用メッセージに対するダウンロード成功メッセージが受信されれば、前記第１メッセージ保存領域に、前記通知メッセージを保存する
ことを特徴とする請求項６に記載のインターネットメッセージ伝送ベースの通知サービス処理装置の動作方法。
【請求項１１】
請求項６ないし１０のうちいずれか１項に記載の方法を遂行するプログラムを記録したコンピュータ可読記録媒体。
【請求項１２】
請求項６ないし１０のうちいずれか１項に記載の方法をコンピュータとの結合を介して実行させるための記録媒体に保存されたコンピュータプログラム。
【発明の詳細な説明】
【技術分野】
【０００１】
本発明は、金融詐欺などを防止するために活用される通知メッセージサービスを提供するための技術に関する。
【背景技術】
【０００２】
最近、ボイスフィッシングなどによる金融詐欺が増加するにつれ、かような金融詐欺を防止することができるシステムに係わる研究が活発に進められている。
【０００３】
それに係わることとして、金融詐欺を防止するためのシステムとして、ユーザが信用カードなどを利用して決済を行えば、リアルタイムでユーザの登録されたモバイル端末に、決済通知文字メッセージを伝送したり、ユーザが口座振込みなどを行えば、振込み内訳を、ユーザの登録されたモバイル端末に、通知文字メッセージでもって伝送するものがある。
【０００４】
かような通知メッセージサービスは、ユーザに即座に金融処理内訳を文字メッセージで知らせるという点で、ユーザの信用カードや口座情報が第３者に露出されも、ユーザが即座に被害いかんを確認することができ、迅速な被害予防処理を行う。
【０００５】
しかし、かような通知メッセージサービスは、一般的に、金融サービス提供業会社において事前に登録しておいたユーザの電話番号を受信番号にし、移動通信用文字メッセージで通知メッセージを伝送するように構成されているという点において、通知メッセージサービス提供において、移動通信会社に、多くのメッセージ送信料金を払わなければならないという短所がある。それにより、一般的な通知メッセージサービスは、ユーザにメッセージ送信による追加料金を請求する形態で運用される場合が多く、ユーザがかような通知メッセージサービスに加入することを尻込みする場合が多い。
【０００６】
それに係わることとして、最近では、スマートフォンやタブレットＰＣ（personal computer）の普及が活発になされることにより、移動通信用文字メッセージの代わりに、インターネットを活用した無料メッセージサービスが広く拡大されている。
【０００７】
かようなインターネットを活用した無料メッセージサービスは、ユーザの端末に、メッセージサービスのための所定のアプリケーションがインストールされれば、前記アプリケーションが駆動され、互いに友達として登録されたユーザ間で、インターネットを介して互いにメッセージを送受信することを可能にする形態に具現されている。
【０００８】
かようなメッセージサービスは、前述のように、移動通信会社の文字メッセージサービスを活用するものではなく、インターネットを介して、同じアプリケーションがインストールされた端末間で、メッセージを授受することを可能にするサービスという点で、データ送受信のための通信料金を除いては、メッセージ送信による別途の料金が課金されないという特徴がある。
【０００９】
従って、金融詐欺を防止するための通知メッセージサービスの提供において、最近、広く活用されているインターネットベースのメッセージサービスを活用し、ユーザに無料で通知メッセージサービスを提供する技術に係わる研究が必要である。
【００１０】
また、インターネットベースのメッセージサービスを活用し、ユーザに通知メッセージを伝送するとき、ユーザが、前記通知メッセージを実際に閲覧しない可能性もあるために、ユーザが、前記通知メッセージを閲覧しない場合、前記通知メッセージを既存の移動通信用文字メッセージとして再送信することにより、ユーザに正確に通知メッセージを伝達する技法に係わる研究が必要である。
【発明の概要】
【発明が解決しようとする課題】
【００１１】
本発明は、金融詐欺を防止するための通知メッセージサービスの提供において、最近、広く活用されているインターネットベースのメッセージサービスを活用し、ユーザに無料で通知メッセージサービスを提供することができる装置及び方法を提供とする。
【００１２】
また、本発明は、インターネットベースのメッセージサービスを活用し、ユーザに通知メッセージを伝送するとき、ユーザが、前記通知メッセージを実際に閲覧しない可能性もあるために、ユーザが前記通知メッセージを閲覧しない場合、前記通知メッセージを既存の移動通信用文字メッセージとして再送信することにより、ユーザに正確に通知メッセージを伝達する技法を提供する。
【課題を解決するための手段】
【００１３】
本発明の一実施形態によるインターネットメッセージ伝送ベースの通知サービス処理装置は、複数の会員に係わる識別情報と、前記複数の会員に係わる電話番号と、が互いに対応して保存されている会員データベース、前記複数の会員に係わる識別情報別にメッセージを区分して保存するためのメッセージ保存領域を有するメモリ部、コンテンツ提供サーバから、通知メッセージに対する送信要求と共に、前記通知メッセージと、前記通知メッセージを受信する受信者の識別情報と、を受信する情報受信部、前記通知メッセージに対する送信要求に対応し、前記メモリ部上の前記受信者の識別情報に対応する第１メッセージ保存領域に、前記通知メッセージを保存する通知メッセージ保存部、前記第１メッセージ保存領域に保存されている前記通知メッセージが、前記受信者の端末にダウンロードされれば、前記通知メッセージがダウンロードされた第１時点から、所定の（predetermined）時間以内に、前記受信者の端末から、前記通知メッセージに対する閲覧確認信号が受信されるか否かということを判断する判断部、及び前記第１時点から、前記所定の時間以内に、前記受信者の端末から、前記通知メッセージに対する閲覧確認信号が受信されない場合、前記会員データベースから、前記受信者の識別情報に対応する第１電話番号を抽出した後、前記第１電話番号を受信側にし、前記通知メッセージを、移動通信用文字メッセージとして送信する代替文字メッセージ伝送部を含む。
【００１４】
また、本発明の一実施形態によるインターネットメッセージ伝送ベースの通知サービス処理装置の動作方法は、複数の会員に係わる識別情報と、前記複数の会員に係わる電話番号と、が互いに対応して保存されている会員データベースを維持する段階、前記複数の会員に係わる識別情報別にメッセージを区分して保存するためのメッセージ保存領域を有するメモリ部を維持する段階、コンテンツ提供サーバから、通知メッセージに対する送信要求と共に、前記通知メッセージと、前記通知メッセージを受信する受信者の識別情報と、を受信する段階、前記通知メッセージに対する送信要求に対応し、前記メモリ部上の前記受信者の識別情報に対応する第１メッセージ保存領域に、前記通知メッセージを保存する段階、前記第１メッセージ保存領域に保存されている前記通知メッセージが、前記受信者の端末にダウンロードされれば、前記通知メッセージがダウンロードされた第１時点から、所定の時間以内に、前記受信者の端末から、前記通知メッセージに対する閲覧確認信号が受信されるか否かということを判断する段階、及び前記第１時点から、前記所定の時間以内に、前記受信者の端末から、前記通知メッセージに対する閲覧確認信号が受信されない場合、前記会員データベースから、前記受信者の識別情報に対応する第１電話番号を抽出した後、前記第１電話番号を受信側にし、前記通知メッセージを、移動通信用文字メッセージとして送信する段階を含む。
【発明の効果】
【００１５】
本発明は、金融詐欺を防止するための通知メッセージサービスの提供において、最近、広く活用されているインターネットベースのメッセージサービスを活用し、ユーザに無料で通知メッセージサービスを提供することができる装置及び方法を提供することができる。
【００１６】
また、本発明は、インターネットベースのメッセージサービスを活用し、ユーザに通知メッセージを伝送するとき、ユーザが前記通知メッセージを実際に閲覧しない可能性もあるために、ユーザが前記通知メッセージを閲覧しない場合、前記通知メッセージを既存の移動通信用文字メッセージとして再送信することにより、ユーザに正確に通知メッセージを伝達する技法を提供することができる。
【図面の簡単な説明】
【００１７】
【図１】本発明の一実施形態によるインターネットメッセージ伝送ベースの通知サービス処理装置の構造を図示した図面である。
【図２】本発明の一実施形態によるインターネットメッセージ伝送ベースの通知サービス処理装置の動作方法を図示したフローチャートである。
【発明を実施するための形態】
【００１８】
本発明は、多様な変更を加えることができ、さまざまな実施形態を有することができるが、特定実施形態を図面に例示し、詳細な説明によって詳細に説明する。しかし、それらは、本発明を、特定の実施形態について限定するものではなく、本発明の思想及び技術範囲に含まれる全ての変更、均等物ないし代替物を含むと理解されなければならない。各図面の説明において、類似した参照符号は、類似構成要素に対して使用した。
【００１９】
ある構成要素が他の構成要素に「連結されて」いたり「接続されて」いたりすると言及されたときには、該他の構成要素に、直接に連結されていたり、接続されていたりすることもあるが、中間に、他の構成要素が存在することもあると理解されなければならないのである。一方、ある構成要素が他の構成要素に「直接連結されて」いたり「直接接続されて」いたりすると言及されたときには、中間に他の構成要素が存在しないと理解されなければならないのである。
【００２０】
本願で使用した用語は、単に、特定実施形態の説明に使用されたものであり、本発明を限定する意図ではない。単数の表現は、文脈上明白に異なって意味しない限り、複数の表現を含む。本願において、「含む」または「有する」というような用語は、明細書上に記載された特徴、数、段階、動作、構成要素、部品、またはそれらの組み合わせが存在するということを指定するものであり、一つ、またはそれ以上の他の特徴、数、段階、動作、構成要素、部品、またはそれらの組み合わせの存在または付加の可能性をあらかじめ排除するものではないと理解されなければならない。
【００２１】
取り立てて定義されない限り、技術的であったり科学的であったりする用語を含み、ここで使用される全ての用語は、本発明が属する技術分野で当業者により、一般的に理解されるところと同一の意味を有している。一般的に使用される事前に定義されているような用語は、関連技術の文脈上で有する意味と一致する意味を有するものであると解釈されなければならず、本願で明白に定義しない限り、理想的であったり、過度に形式的であったりする意味に解釈されるものではない。
【００２２】
以下、本発明による実施形態について、添付された図面を参照して詳細に説明する。
【００２３】
図１は、本発明の一実施形態によるインターネットメッセージ伝送ベースの通知サービス処理装置の構造を図示した図面である。
【００２４】
図１を参照すれば、本発明の一実施形態によるインターネットメッセージ伝送ベースの通知サービス処理装置１１０は、会員データベース１１１、メモリ部１１２、情報受信部１１３、通知メッセージ保存部１１４、判断部１１５及び代替文字メッセージ伝送部１１６を含む。
【００２５】
会員データベース１１１には、複数の会員に係わる識別情報と、前記複数の会員に係わる電話番号と、が互いに対応して保存されている。
【００２６】
ここで、前記複数の会員に係わる識別情報は、各会員を区分するために、各会員に割り当てられた固有識別情報を意味するものであり、一般的に、各会員がサービス加入を行うときに生成したＩＤ（identification）などにもなる。
【００２７】
メモリ部１１２は、前記複数の会員に係わる識別情報別に、メッセージを区分して保存するためのメッセージ保存領域を有する。
【００２８】
もしユーザが口座振込みや信用カード決済などを行うことにより、銀行またはカード会社で運用するコンテンツ提供サーバ１３０から、インターネットメッセージ伝送ベースの通知サービス処理装置１１０に、口座振込みまたは信用カード決済による通知メッセージの送信要求が受信されれば、情報受信部１１３は、コンテンツ提供サーバ１３０から、前記通知メッセージに対する送信要求と共に、前記通知メッセージと、前記通知メッセージを受信する受信者の識別情報と、を受信する。
【００２９】
このとき、通知メッセージ保存部１１４は、前記通知メッセージに対する送信要求に対応し、メモリ部１１２上の前記受信者の識別情報に対応する第１メッセージ保存領域に、前記通知メッセージを保存する。
【００３０】
このとき、受信者の端末１４０は、所定の（predetermined）周期間隔で、インターネットメッセージ伝送ベースの通知サービス処理装置１１０に接続した後、メモリ部１１２上の前記受信者の識別情報に対応する前記第１メッセージ保存領域にアクセスし、新たなメッセージが保存されているか否かということを確認することができる。
【００３１】
もし前記第１メッセージ保存領域に、前記通知メッセージが保存されている場合、受信者の端末１４０は、前記通知メッセージに対するダウンロードを行い、前記通知メッセージがダウンロードされた後、前記受信者により、受信者の端末１４０で、前記通知メッセージが閲覧されれば、前記通知メッセージに対する閲覧確認信号を生成し、前記閲覧確認信号をインターネットメッセージ伝送ベースの通知サービス処理装置１１０に伝送することができる。
【００３２】
このとき、判断部１１５は、前記第１メッセージ保存領域に保存されている前記通知メッセージが、受信者の端末１４０にダウンロードされれば、前記通知メッセージがダウンロードされた第１時点から、所定の時間以内に、受信者の端末１４０から、前記通知メッセージに対する閲覧確認信号が受信されるか否かということを判断することができる。
【００３３】
もし前記第１時点から、前記所定の時間以内に、受信者の端末１４０から、前記通知メッセージに対する閲覧確認信号が受信された場合、前記受信者が、受信者の端末１４０を介して、前記通知メッセージを正常に見たために、インターネットメッセージ伝送ベースの通知サービス処理装置１１０は、閲覧確認報告部（図示せず）を介して、コンテンツ提供サーバ１３０に対して、前記受信者が前記通知メッセージを正常に閲覧したことを確認する確認メッセージを伝送することができる。
【００３４】
しかし、前記第１時点から、前記所定の時間以内に、受信者の端末１４０から、前記通知メッセージに対する閲覧確認信号が受信されない場合、代替文字メッセージ伝送部１１６は、会員データベース１１１から、前記受信者の識別情報に対応する第１電話番号を抽出した後、前記第１電話番号を受信側にし、前記通知メッセージを、移動通信用文字メッセージとして送信することができる。
【００３５】
すなわち、受信者の端末１４０が、所定の周期間隔で、メモリ部１１２にアクセスし、前記通知メッセージをダウンロードしても、前記受信者が前記通知メッセージを閲覧していないのであるならば、前記受信者に正確に情報伝達されていないために、インターネットメッセージ伝送ベースの通知サービス処理装置１１０は、代替文字メッセージ伝送部１１６を介して、前記受信者に対して、事前に登録しておいた前記第１電話番号を受信側にし、前記通知メッセージを、移動通信用文字メッセージとして再送信することにより、前記受信者が、前記通知メッセージを見ることができるように支援することができる。
【００３６】
このとき、本発明の一実施形態によれば、情報受信部１１３は、テストメッセージ保存部１２１及びテスト成功判断部１２２を含んでもよい。
【００３７】
テストメッセージ保存部１２１は、コンテンツ提供サーバ１３０から、前記通知メッセージに対する送信要求が受信されれば、テスト用メッセージを生成し、前記テスト用メッセージを、前記第１メッセージ保存領域に保存する。
【００３８】
テスト成功判断部１２２は、前記第１メッセージ保存領域に保存されている前記テスト用メッセージが、受信者の端末１４０にダウンロードされることにより、受信者の端末１４０から、前記テスト用メッセージに対するダウンロード成功メッセージが受信されるか否かということを判断する。
【００３９】
このとき、通知メッセージ保存部１１４は、受信者の端末１４０から、前記テスト用メッセージに対するダウンロード成功メッセージが受信されれば、前記第１メッセージ保存領域に、前記通知メッセージを保存することができる。
【００４０】
すなわち、インターネットメッセージ伝送ベースの通知サービス処理装置１１０は、前記通知メッセージを前記第１メッセージ保存領域に保存する前に、受信者の端末１４０が前記通知メッセージを正常にダウンロードすることができるか否かということに対するテストを完了した後、前記通知メッセージを前記第１メッセージ保存領域に保存することにより、前記通知メッセージが受信者に正常に伝達するように支援することができる。
【００４１】
本発明の一実施形態によれば、インターネットメッセージ伝送ベースの通知サービス処理装置１１０は、維持時間挿入部１１７をさらに含んでもよい。
【００４２】
維持時間挿入部１１７は、コンテンツ提供サーバ１３０から、前記通知メッセージが受信されれば、前記通知メッセージを構成するデータのヘッダに対して、所定のメッセージ閲覧維持時間に係わる情報を挿入する。
【００４３】
ここで、前記所定のメッセージ閲覧維持時間は、受信者の端末１４０から、前記通知メッセージに対する閲覧確認信号が正常に受信されるか否かということに係わる基準になる時間である前記所定の時間より短く設定された時間である。
【００４４】
このとき、通知メッセージ保存部１１４は、前記通知メッセージを構成するデータのヘッダに対して、前記所定のメッセージ閲覧維持時間に係わる情報が挿入されれば、前記第１メッセージ保存領域に、前記通知メッセージを保存することができる。
【００４５】
このとき、受信者の端末１４０は、前記通知メッセージがダウンロードされ、前記受信者により、受信者の端末１４０で、前記通知メッセージが閲覧されれば、前記通知メッセージを構成するデータのヘッダから、前記所定のメッセージ閲覧維持時間に係わる情報を抽出した後、前記所定のメッセージ閲覧維持時間に係わる情報を基に、受信者の端末１４０で、前記通知メッセージが閲覧された状態が、前記所定のメッセージ閲覧維持時間を超えるか否かということを判断することができる。
【００４６】
もし受信者の端末１４０で、前記通知メッセージが閲覧された状態が、前記所定のメッセージ閲覧維持時間を超える場合、受信者の端末１４０は、前記通知メッセージに対する閲覧確認信号を生成し、インターネットメッセージ伝送ベースの通知サービス処理装置１１０に伝送することができる。
【００４７】
例えば、受信者の端末１４０から、前記通知メッセージに対する閲覧確認信号が正常に受信されるか否かということに係わる基準になる時間の前記所定の時間が「３秒」であり、前記所定のメッセージ閲覧維持時間が、前記所定の時間より短く設定された「２秒」である場合、維持時間挿入部１１７は、前記通知メッセージを構成するデータのヘッダに対して、「２秒」という前記所定のメッセージ閲覧維持時間に係わる情報を挿入することができる。
【００４８】
その後、通知メッセージ保存部１１４が、前記通知メッセージを、メモリ部１１２の前記第１メッセージ保存領域に保存した後、受信者の端末１４０が所定の周期間隔で、前記第１メッセージ保存領域にアクセスし、前記通知メッセージをダウンロードすれば、受信者の端末１４０は、前記受信者により、受信者の端末１４０で、前記通知メッセージが閲覧される場合、前記通知メッセージを構成するデータのヘッダから、前記所定のメッセージ閲覧維持時間である「２秒」に係わる情報を抽出した後、受信者の端末１４０で、前記通知メッセージが閲覧された状態が、前記所定のメッセージ閲覧維持時間である「２秒」を超えるか否かということを判断することができる。
【００４９】
もし受信者の端末１４０で、前記通知メッセージが閲覧された状態が、前記所定のメッセージ閲覧維持時間である「２秒」を超える場合、受信者の端末１４０は、前記通知メッセージに対する閲覧確認信号を生成し、インターネットメッセージ伝送ベースの通知サービス処理装置１１０に伝送することができる。
【００５０】
このとき、インターネットメッセージ伝送ベースの通知サービス処理装置１１０は、前記通知メッセージに対する閲覧確認信号が、前記所定の時間である「３秒」以内に受信されたために、前記閲覧確認報告部を介して、コンテンツ提供サーバ１３０に対して、前記受信者が、前記通知メッセージを正常に閲覧したことを確認する確認メッセージを伝送することができる。
【００５１】
本発明の他の実施形態によれば、インターネットメッセージ伝送ベースの通知サービス処理装置１１０は、テーブル維持部１１８、範囲確認部１１９、維持時間抽出部１２０をさらに含んでもよい。
【００５２】
テーブル維持部１１８は、複数の所定のデータサイズ範囲別に、互いに異なるメッセージ閲覧維持時間（互いに異なるメッセージ閲覧維持時間は、所定の時間より短く設定された時間である）が記録されているテーブルを保存して維持する。
【００５３】
例えば、前記所定の時間が「５秒」であると仮定すれば、前記テーブルには、下記表１のような情報が記録される。
【００５４】
【表１】
2018528562.tif 000003
【００５５】
範囲確認部１１９は、コンテンツ提供サーバ１３０から、前記通知メッセージが受信されれば、前記通知メッセージのデータサイズを確認した後、前記テーブルを参照し、前記複数の所定のデータサイズ範囲のうち、前記通知メッセージのデータサイズが属している第１データサイズ範囲を確認する。
【００５６】
そして、維持時間抽出部１２０は、前記テーブルを参照し、前記第１データサイズ範囲に対応して記録されている第１メッセージ閲覧維持時間を抽出する。
【００５７】
このとき、維持時間挿入部１１７は、前記通知メッセージを構成するデータのヘッダに対して、前記第１メッセージ閲覧維持時間に係わる情報を挿入する。
【００５８】
このとき、通知メッセージ保存部１１４は、前記通知メッセージを構成するデータのヘッダに対して、前記第１メッセージ閲覧維持時間に係わる情報が挿入されれば、前記第１メッセージ保存領域に、前記通知メッセージを保存することができる。
【００５９】
そして、受信者の端末１４０は、前記通知メッセージがダウンロードされ、前記受信者により、受信者の端末１４０で、前記通知メッセージが閲覧されれば、前記通知メッセージを構成するデータのヘッダから、前記第１メッセージ閲覧維持時間に係わる情報を抽出した後、前記第１メッセージ閲覧維持時間に係わる情報を基に、受信者の端末１４０で、前記通知メッセージが閲覧された状態が、前記第１メッセージ閲覧維持時間を超えるか否かということを判断することができる。
【００６０】
もし受信者の端末１４０で、前記通知メッセージが閲覧された状態が、前記第１メッセージ閲覧維持時間を超える場合、受信者の端末１４０は、前記通知メッセージに対する閲覧確認信号を生成し、インターネットメッセージ伝送ベースの通知サービス処理装置１１０に伝送することができる。
【００６１】
例えば、前記所定の時間が「５秒」であり、前記テーブル上に、前記表１のような情報が記録されており、コンテンツ提供サーバ１３０から受信された前記通知メッセージの大きさが「６０byte」である場合、範囲確認部１１９は、前記表１に示されたテーブルを参照し、前記複数の所定のデータサイズ範囲のうち、前記通知メッセージのデータサイズが属している第１データサイズ範囲として、「５０byte〜１００byte」を確認することができる。
【００６２】
このとき、維持時間抽出部１２０は、前記テーブルを参照し、前記第１データサイズ範囲に対応して記録されている第１メッセージ閲覧維持時間として、「３秒」を抽出することができる。
【００６３】
その後、維持時間挿入部１１７は、前記通知メッセージを構成するデータのヘッダに対して、前記第１メッセージ閲覧維持時間である「３秒」に係わる情報を挿入することができる。
【００６４】
その後、通知メッセージ保存部１１４が、前記通知メッセージを、メモリ部１１２の前記第１メッセージ保存領域に保存した後、受信者の端末１４０が所定の周期間隔で、前記第１メッセージ保存領域にアクセスし、前記通知メッセージをダウンロードすれば、受信者の端末１４０は、前記受信者により、受信者の端末１４０で、前記通知メッセージが閲覧される場合、前記通知メッセージを構成するデータのヘッダから、前記第１メッセージ閲覧維持時間である「３秒」に係わる情報を抽出した後、受信者の端末１４０で、前記通知メッセージが閲覧された状態が、前記第１メッセージ閲覧維持時間である「３秒」を超えるか否かということを判断することができる。
【００６５】
もし受信者の端末１４０で、前記通知メッセージが閲覧された状態が、前記所定のメッセージ閲覧維持時間である「３秒」を超える場合、受信者の端末１４０は、前記通知メッセージに対する閲覧確認信号を生成し、インターネットメッセージ伝送ベースの通知サービス処理装置１１０に伝送することができる。
【００６６】
このとき、インターネットメッセージ伝送ベースの通知サービス処理装置１１０は、前記通知メッセージに対する閲覧確認信号が、前記所定の時間である「５秒」以内に受信されたために、前記閲覧確認報告部を介して、コンテンツ提供サーバ１３０に対して、前記受信者が、前記通知メッセージを正常に閲覧したことを確認する確認メッセージを伝送することができる。
【００６７】
結局、本発明によるインターネットメッセージ伝送ベースの通知サービス処理装置１１０は、受信者の端末１４０に、前記通知メッセージがダウンロードされた後、前記受信者により、前記通知メッセージが受信者の端末１４０で正常に閲覧されても、前記受信者が、前記通知メッセージを閲覧した後、すぐに閉じれば、前記通知メッセージを介して、前記受信者に伝達する情報が正確に伝達されないこともあるために、前記受信者が、前記通知メッセージを、受信者の端末１４０で、所定時間の間閲覧した場合にのみ、前記通知メッセージが、前記受信者に正確に伝達されたと判断することができ、前記通知メッセージが、受信者の端末１４０で、所定時間の間閲覧されていないのであるならば、前記通知メッセージが、前記受信者に正確に伝達されたと見ることができず、前記通知メッセージを、前記受信者に、移動通信用文字メッセージとして再送信することにより、前記通知メッセージを、前記受信者に正確に伝達することができる。
【００６８】
図２は、本発明の一実施形態によるインターネットメッセージ伝送ベースの通知サービス処理装置の動作方法を図示したフローチャートである。
【００６９】
段階（Ｓ２１０）では、複数の会員に係わる識別情報と、前記複数の会員に係わる電話番号と、が互いに対応して保存されている会員データベースを維持する。
【００７０】
段階（Ｓ２２０）では、前記複数の会員に係わる識別情報別にメッセージを区分して保存するためのメッセージ保存領域を有するメモリ部を維持する。
【００７１】
段階（Ｓ２３０）では、コンテンツ提供サーバから、通知メッセージに対する送信要求と共に、前記通知メッセージと、前記通知メッセージを受信する受信者の識別情報と、を受信する。
【００７２】
段階（Ｓ２４０）では、前記通知メッセージに対する送信要求に対応し、前記メモリ部上の前記受信者の識別情報に対応する第１メッセージ保存領域に、前記通知メッセージを保存する。
【００７３】
段階（Ｓ２５０）では、前記第１メッセージ保存領域に保存されている前記通知メッセージが、前記受信者の端末にダウンロードされれば、前記通知メッセージがダウンロードされた第１時点から、所定の時間以内に、前記受信者の端末から、前記通知メッセージに対する閲覧確認信号が受信されるか否かということを判断する。
【００７４】
段階（Ｓ２６０）では、前記第１時点から、前記所定の時間以内に、前記受信者の端末から、前記通知メッセージに対する閲覧確認信号が受信されない場合、前記会員データベースから、前記受信者の識別情報に対応する第１電話番号を抽出した後、前記第１電話番号を受信側にし、前記通知メッセージを、移動通信用文字メッセージとして送信する。
【００７５】
このとき、本発明の一実施形態によれば、前記受信者の端末は、所定の周期間隔で、前記インターネットメッセージ伝送ベースの通知サービス処理装置に接続した後、前記メモリ部上の前記受信者の識別情報に対応する前記第１メッセージ保存領域にアクセスし、新たなメッセージが保存されているか否かということを確認することにより、前記通知メッセージに対するダウンロードを行い、前記通知メッセージがダウンロードされた後、前記受信者により、前記受信者の端末で、前記通知メッセージが閲覧されれば、前記通知メッセージに対する閲覧確認信号を生成し、前記インターネットメッセージ伝送ベースの通知サービス処理装置に伝送することができる。
【００７６】
また、本発明の一実施形態によれば、前記インターネットメッセージ伝送ベースの通知サービス処理装置は、段階（Ｓ２４０）以前に、前記コンテンツ提供サーバから、前記通知メッセージが受信されれば、前記通知メッセージを構成するデータのヘッダに対して、所定のメッセージ閲覧維持時間（前記所定のメッセージ閲覧維持時間は、前記所定の時間より短く設定された時間である）に係わる情報を挿入する段階をさらに含んでもよい。
【００７７】
このとき、段階（Ｓ２４０）では、前記通知メッセージを構成するデータのヘッダに対して、前記所定のメッセージ閲覧維持時間に係わる情報が挿入されれば、前記第１メッセージ保存領域に、前記通知メッセージを保存することができる。
【００７８】
このとき、前記受信者の端末は、前記通知メッセージがダウンロードされ、前記受信者により、前記受信者の端末で、前記通知メッセージが閲覧されれば、前記通知メッセージを構成するデータのヘッダから、前記所定のメッセージ閲覧維持時間に係わる情報を抽出した後、前記所定のメッセージ閲覧維持時間に係わる情報を基に、前記受信者の端末で、前記通知メッセージが閲覧された状態が、前記所定のメッセージ閲覧維持時間を超えれば、前記通知メッセージに対する閲覧確認信号を生成し、前記インターネットメッセージ伝送ベースの通知サービス処理装置に伝送することができる。
【００７９】
また、本発明の他の一実施形態によれば、前記インターネットメッセージ伝送ベースの通知サービス処理装置の動作方法は、段階（Ｓ２４０）以前に、複数の所定のデータサイズ範囲別に互いに異なるメッセージ閲覧維持時間（前記互いに異なるメッセージ閲覧維持時間は、前記所定の時間より短く設定された時間である）が記録されているテーブルを保存して維持する段階、前記コンテンツ提供サーバから、前記通知メッセージが受信されれば、前記通知メッセージのデータサイズを確認した後、前記テーブルを参照し、前記複数の所定のデータサイズ範囲のうち、前記通知メッセージのデータサイズが属している第１データサイズ範囲を確認する段階、前記テーブルを参照し、前記第１データサイズ範囲に対応して記録されている第１メッセージ閲覧維持時間を抽出する段階、及び前記通知メッセージを構成するデータのヘッダに対して、前記第１メッセージ閲覧維持時間に係わる情報を挿入する段階をさらに含んでもよい。
【００８０】
このとき、段階（Ｓ２４０）では、前記通知メッセージを構成するデータのヘッダに対して、前記第１メッセージ閲覧維持時間に係わる情報が挿入されれば、前記第１メッセージ保存領域に、前記通知メッセージを保存することができる。
【００８１】
このとき、前記受信者の端末は、前記通知メッセージがダウンロードされ、前記受信者により、前記受信者の端末で、前記通知メッセージが閲覧されれば、前記通知メッセージを構成するデータのヘッダから、前記第１メッセージ閲覧維持時間に係わる情報を抽出した後、前記第１メッセージ閲覧維持時間に係わる情報を基に、前記受信者の端末で、前記通知メッセージが閲覧された状態が、前記第１メッセージ閲覧維持時間を超えれば、前記通知メッセージに対する閲覧確認信号を生成し、前記インターネットメッセージ伝送ベースの通知サービス処理装置に伝送することができる。
【００８２】
また、本発明の一実施形態によれば、前記インターネットメッセージ伝送ベースの通知サービス処理装置の動作方法は、段階（Ｓ２４０）以前に、前記コンテンツ提供サーバから、前記通知メッセージに対する送信要求が受信されれば、テスト用メッセージを生成し、前記テスト用メッセージを、前記第１メッセージ保存領域に保存する段階、及び前記第１メッセージ保存領域に保存されている前記テスト用メッセージが、前記受信者の端末にダウンロードされることにより、前記受信者の端末から、前記テスト用メッセージに対するダウンロード成功メッセージが受信されるか否かということを判断する段階をさらに含んでもよい。
【００８３】
このとき、段階（Ｓ２４０）では、前記受信者の端末から、前記テスト用メッセージに対するダウンロード成功メッセージが受信されれば、前記第１メッセージ保存領域に、前記通知メッセージを保存することができる。
【００８４】
以上、図２を参照し、本発明の一実施形態によるインターネットメッセージ伝送ベースの通知サービス処理装置の動作方法について説明した。ここで、本発明の一実施形態によるインターネットメッセージ伝送ベースの通知サービス処理装置の動作方法は、図１を利用して説明したインターネットメッセージ伝送ベースの通知サービス処理装置１１０の動作に係わる構成と対応するので、それに係わるさらに詳細な説明は省略する。
【００８５】
本発明の一実施形態によるインターネットメッセージ伝送ベースの通知サービス処理装置の動作方法は、コンピュータとの結合を介して実行させるための記録媒体に保存されたコンピュータプログラムによっても具現される。
【００８６】
また、本発明の一実施形態によるインターネットメッセージ伝送ベースの通知サービス処理装置の動作方法は、多様なコンピュータ手段を介して遂行されるプログラム命令形態によって具現され、コンピュータ可読媒体に記録される。前記コンピュータ可読媒体は、プログラム命令、データファイル、データ構造などを、単独でまたは組み合わせて含んでもよい。前記媒体に記録されるプログラム命令は、本発明のために特別に設計されて構成されたものであってもよく、コンピュータソフトウェア当業者に公知されて使用可能なものであってもよい。コンピュータ可読記録媒体の例としては、ハードディスク、フロッピィーディスク及び磁気テープのような磁気媒体(magnetic media）；ＣＤ−ＲＯＭ（compact disc read only memory）、ＤＶＤ（digital versatile disc）のような光記録媒体（optical media）；フロプティカルディスク（floptical disk）のような光磁気媒体（magneto-optical media）；びＲＯＭ（read-only memory）、ＲＡＭ（random access memory）、フラッシュメモリのような、プログラム命令を保存して遂行するように、特別に構成されたハードウェア装置が含まれる。プログラム命令の例としては、コンパイラによって作われるような機械語コードだけではなく、インタープリタなどを使用し、コンピュータによって実行される高級言語コードを含む。前述のハードウェア装置は、本発明の動作を遂行するために、１以上のソフトウェアモジュールとして作動するように構成されるものでもあるが、その逆も、また同様である。
【００８７】
以上のように、本発明においては、具体的な構成要素のような特定事項、限定された実施形態、及び図面によって説明したが、それらは、本発明のさらに全般的な理解の一助とするために提供されたものであるのみ、本発明は、前述の実施形態に限定されるものではなく、本発明が属する分野で通常的な知識を持った者であるならば、かような記載から、多様な修正及び変形が可能であろう。
【００８８】
従って、本発明の思想は、説明された実施形態に限って決められるものではなく、特許請求の範囲だけではなく、該特許請求の範囲と均等であったり、等価的であったりする変形がある全てのものは、本発明思想の範疇に属するものとするのである。
【図１】
2018528562.tif 000004
【図２】
2018528562.tif 000005
【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
コンテンツ提供サーバから通知メッセージに対する送信要求、前記通知メッセージ、及び前記通知メッセージの受信者の識別情報を受信する情報受信部と、
前記通知メッセージのデータサイズに基づいて、メッセージ閲覧維持時間を決定し、メッセージ閲覧維持時間の情報を、前記通知メッセージと共に保存する維持時間挿入部と、
前記通知メッセージが前記受信者の端末にダウンロードされた第１時点から所定の時間以内に、前記受信者の端末から、前記通知メッセージに対する閲覧確認信号が受信されるか否かということを判断する判断部と、
前記第１時点から前記所定の時間以内に、前記受信者の端末から、前記通知メッセージに対する閲覧確認信号が受信されない場合、前記受信者に対応する第１電話番号を受信者側にし、前記通知メッセージを移動通信用文字メッセージとして送信する文字メッセージ伝送部と、
を含み、
前記メッセージ閲覧維持時間は、前記所定の時間より短く、
前記閲覧確認信号は、前記受信者の端末において、前記メッセージ閲覧維持時間を超え、前記通知メッセージの閲覧状態が維持される場合、前記受信者の端末から受信される
ことを特徴とする通知サービス処理装置。
【請求項２】
前記通知サービス処理装置は、複数の会員それぞれに係わる識別情報、前記複数の会員それぞれに係わる電話番号を保存する会員データベースをさらに含む
ことを特徴とする請求項１に記載の通知サービス処理装置。
【請求項３】
前記メッセージ閲覧維持時間は、前記通知メッセージが大きいほど長く設定される
ことを特徴とする請求項１に記載の通知サービス処理装置。
【請求項４】
前記受信者の端末への、前記通知メッセージのダウンロードは、インターネットメッセージ伝送を利用して行われる
ことを特徴とする請求項１に記載の通知サービス処理装置。
【請求項５】
前記通知サービス処理装置は、複数の会員それぞれに係わるメッセージを保存するメモリ部をさらに含み、
前記情報受信部は、
前記受信者の端末が所定の周期間隔で、インターネットメッセージ伝送ベースの前記通知サービス処理装置への接続に対応し、前記メモリ部に保存された前記受信者の識別情報に対応する新規通知メッセージを前記受信者の端末に伝送し、
前記第１時点から前記所定の時間以内に、前記メッセージ閲覧維持時間を超え、前記受信者の端末において、前記受信された通知メッセージの閲覧状態が維持された場合、前記通知メッセージに対する閲覧確認信号を、前記受信者の端末から受信する
ことを特徴とする請求項１に記載の通知サービス処理装置。
【請求項６】
前記通知サービス処理装置は、前記コンテンツ提供サーバから、前記通知メッセージに対する送信要求が受信されれば、第１メッセージ保存領域にテスト用メッセージを保存する保存部をさらに含み、
前記情報受信部は、前記テスト用メッセージを前記受信者の端末に伝送し、
前記判断部は、前記テスト用メッセージが前記受信者の端末に伝送された後、前記受信者の端末から、前記テスト用メッセージに対する成功メッセージが受信されれば、前記第１メッセージ保存領域に、前記通知メッセージを保存する
ことを特徴とする請求項１に記載の通知サービス処理装置。
【請求項７】
前記維持時間挿入部は、前記通知メッセージを構成するデータのヘッダに、前記メッセージ閲覧維持時間の情報を挿入する
ことを特徴とする請求項１に記載の通知サービス処理装置。
【請求項８】
コンテンツ提供サーバから通知メッセージに対する送信要求、前記通知メッセージ、及び前記通知メッセージの受信者の識別情報を受信する段階と、
前記通知メッセージのデータサイズに基づいて、メッセージ閲覧維持時間を決定する段階と、
メッセージ閲覧維持時間の情報を、前記通知メッセージと共に保存する段階と、
前記通知メッセージが前記受信者の端末にダウンロードされた第１時点から所定の時間以内に、前記受信者の端末から、前記通知メッセージに対する閲覧確認信号が受信されるか否かということを判断する段階と、
前記第１時点から前記所定の時間以内に、前記受信者の端末から、前記通知メッセージに対する閲覧確認信号が受信されない場合、前記受信者に対応する第１電話番号を受信者側にし、前記通知メッセージを移動通信用文字メッセージとして送信する段階と、
を含み、
前記メッセージ閲覧維持時間は、前記所定の時間より短く、
前記閲覧確認信号は、前記受信者の端末において、前記メッセージ閲覧維持時間を超え、前記通知メッセージの閲覧状態が維持される場合、前記受信者の端末から受信される
ことを特徴とする通知サービス処理装置の制御方法。
【請求項９】
複数の会員それぞれに係わる識別情報、前記複数の会員それぞれに係わる電話番号を保存する段階をさらに含む
ことを特徴とする請求項８に記載の通知サービス処理装置の制御方法。
【請求項１０】
前記メッセージ閲覧維持時間は、前記通知メッセージが大きいほど長く設定される
ことを特徴とする請求項８に記載の通知サービス処理装置の制御方法。
【請求項１１】
前記受信者の端末への、前記通知メッセージのダウンロードは、インターネットメッセージ伝送を利用して行われる
ことを特徴とする請求項８に記載の通知サービス処理装置の制御方法。
【請求項１２】
前記受信者の端末が所定の周期間隔で、インターネットメッセージ伝送ベースの前記通知サービス処理装置への接続に対応し、前記受信者の識別情報に対応する新規メッセージを前記受信者の端末に伝送する段階と、
前記第１時点から前記所定の時間以内に、前記メッセージ閲覧維持時間を超え、前記受信者の端末において、前記受信された通知メッセージの閲覧状態が維持された場合、前記通知メッセージに対する閲覧確認信号を、前記受信者の端末から受信する段階と、
をさらに含む
ことを特徴とする請求項８に記載の通知サービス処理装置の制御方法。
【請求項１３】
前記コンテンツ提供サーバから、前記通知メッセージに対する送信要求が受信されれば、第１メッセージ保存領域にテスト用メッセージを保存する段階と、
前記テスト用メッセージを前記受信者の端末に伝送する段階と、
前記テスト用メッセージが前記受信者の端末に伝送された後、前記受信者の端末から、前記テスト用メッセージに対する成功メッセージが受信されれば、前記第１メッセージ保存領域に、前記通知メッセージを保存する段階と、
をさらに含む
ことを特徴とする請求項８に記載の通知サービス処理装置の制御方法。
【請求項１４】
前記通知メッセージを構成するデータのヘッダに、前記メッセージ閲覧維持時間の情報を挿入する段階をさらに含む
ことを特徴とする請求項８に記載の通知サービス処理装置の制御方法。
【請求項１５】
コンピュータを、請求項１乃至７の何れか１項に記載の通知サービス処理装置として機能させるコンピュータプログラム。
【国際調査報告】
2018528562.tif 000006
2018528562.tif 000007
2018528562.tif 000008
2018528562.tif 000009